(57)【要約】【課題】高圧放電灯点灯において、装置内部での部品故障などにより高圧放電灯が過負荷状態になっても、確実に検出して電力供給停止などの措置をとる。【解決手段】高圧放電灯を点灯する点灯回路と、高圧放電灯に流れる電流を測定するランプ電流測定回路と、高圧放電灯の電圧を測定するランプ電圧測定回路と、ランプ電圧測定回路が測定したランプ電圧値（Ｖｌ）で所定の目標ランプ電力値（Ｗｒ）を割ることによって目標ランプ電流値（Ｉｒ）を演算する目標電流演算手段と、目標ランプ電流値（Ｉｒ）とランプ電流測定回路が測定したランプ電流値（Ｉｌ）とが一致するように点灯回路を制御する点灯制御回路からなる高圧放電灯点灯装置において、さらに、ランプ電流値（Ｉｌ）とランプ電圧値（Ｖｌ）の積（Ｗｌ）を演算し、積（Ｗｌ）があらかじめ設定された範囲を外れた場合に所定の保護動作を行う保護制御手段を備えた。【選択図】図１
2009123425.tif 000002
【特許請求の範囲】
【請求項１】
高圧放電灯を点灯する点灯回路と、前記高圧放電灯に流れる電流を測定するランプ電流測定回路と、前記高圧放電灯の電圧を測定するランプ電圧測定回路と、前記ランプ電圧測定回路が測定したランプ電圧値（Ｖｌ）で所定の目標ランプ電力値（Ｗｒ）を割ることによって目標ランプ電流値（Ｉｒ）を演算する目標電流演算手段と、前記目標ランプ電流値（Ｉｒ）と前記ランプ電流測定回路が測定したランプ電流値（Ｉｌ）とが一致するように前記点灯回路を制御する点灯制御回路からなる高圧放電灯点灯装置において、
さらに、前記ランプ電流値（Ｉｌ）と前記ランプ電圧値（Ｖｌ）の積（Ｗｌ）を演算し、該積（Ｗｌ）があらかじめ設定された範囲を外れた場合に所定の保護動作を行う保護制御手段を備えた高圧放電灯点灯装置。
【請求項２】
請求項１記載の高圧放電灯点灯装置において、前記目標電力演算手段と前記保護制御手段が同一のマイクロコンピュータ上で構成され、前記保護制御手段から発生した前記所定の保護動作のための信号が前記マイクロコンピュータから前記点灯制御回路に送出されるよう構成された高圧放電灯点灯装置。
【請求項３】
請求項１〜２いずれか一項に記載の高圧放電灯点灯装置、高圧放電灯、該高圧放電灯が取り付けられるレフレクタ、及び少なくとも該高圧放電灯点灯装置を内包する筐体を備えた光源装置。
【発明の詳細な説明】
【技術分野】
【０００１】
本発明は高圧放電灯を点灯させるための高圧放電灯点灯装置の改良に関する。
【背景技術】
【０００２】
近年、高圧放電灯点灯装置の電子化が進み、図４のブロック図で示すような高圧放電灯点灯装置が普及している。図４の従来例の動作を説明する。まず始動回路３が高圧放電灯４に高電圧を印加して高圧放電灯４を点灯させる。高圧放電灯４が点灯した後、目標電流演算手段７には、ランプ電圧測定回路６が測定したランプ電圧値（Ｖｌ）が入力される。目標電流演算手段７には高圧放電灯４が消費すべき目標電力の値（Ｗｒ）があらかじめ格納されている。目標電流演算手段７は格納されている目標電力値（Ｗｒ）を、入力されたランプ電圧値（Ｖｌ）で割ることにより、高圧放電灯４に流すべき電流の値である目標ランプ電流値（Ｉref）を演算し、その目標ランプ電流値（Ｉref）を点灯制御回路８へ送る。点灯制御回路８は、目標電流演算手段７から送られた目標ランプ電流値（Ｉref）又は図６に示す分圧回路によって分圧された値（Ｉref´）とランプ電流測定回路５が測定したランプ電流値（Ｉｌ）が一致するように、点灯回路２を制御する（例えば、特許文献１）。なお、以下の説明において、目標ランプ電流値（Ｉref）及び（Ｉref´）をまとめて「目標ランプ電流値（Ｉｒ）」という。
【特許文献１】特開２００４−３０４９０１号公報
【発明の開示】
【発明が解決しようとする課題】
【０００３】
しかし上記従来例では、ランプ電圧測定回路６からのランプ電圧値が目標電流演算手段７に入力されないなどの何らかの部品故障が発生して、点灯制御回路８に入力された目標ランプ電流値が正規の値より大きくなった場合、高圧放電灯４には大きな電流が流れて過負荷状態となってしまう。過負荷状態になると、高圧放電灯点灯装置や高圧放電灯が発熱し、最悪の場合には高圧放電灯が破裂してしまう。
以下に、高圧放電灯４が正常に点灯しているにもかかわらず点灯装置側の故障に起因して上記問題が発生する態様について、具体的に説明する。
【０００４】
（１）ランプ電圧値（Ｖｌ）が現実のランプ電圧に反して低くなった場合
高圧放電灯４が正常に点灯しているにもかかわらず、ランプ電圧値（Ｖｌ）についてＶｌ＝０となった場合を想定する。例えば、図５に示すランプ電圧測定回路６の分圧抵抗Ｒ１の一部が開放された場合、分圧抵抗Ｒ２が短絡された場合などが考えられる。演算される目標ランプ電流値（Ｉｒ＝Ｗｒ／Ｖｌ）は、計算上は無限大となるが、出力される演算結果は上限の目標ランプ電流値（Ｉｒmax）となる。
【０００５】
そして、点灯制御回路８はランプ電流値（Ｉｌ）を上限目標ランプ電流値（Ｉｒmax）に一致させようと動作し、これにより点灯回路２はランプ電流としてＩｒmaxを出力することになる。もちろん、現実のランプ電圧が低い場合（例えば６０Ｖ程度以下の場合）は、ランプ電流としてＩｒmaxを投入しても、そのランプ電力が定格範囲内に収まっている限りは重大な問題とはならないが、現実のランプ電圧が低くない場合にそのようなランプ電流を投入すると、ランプ電力値が定格以上となり過負荷状態となる。
【０００６】
（２）ランプ電圧値（Ｖｌ）が現実のランプ電圧に反して高くなった場合
高圧放電灯４が正常に点灯しているにもかかわらず、ランプ電圧値（Ｖｌ）が現実の点灯状態に反して高くなった場合を想定する。例えば、図５に示すランプ電圧測定回路６の分圧抵抗Ｒ１の一部が短絡された場合、又は分圧抵抗Ｒ２が開放された場合に、目標電流演算手段７への入力がマイクロコンピュータＭＣの電源電圧Ｖｃｃにクリッピングされた場合などが考えられる。ここで、演算される目標ランプ電流値（Ｉｒ）は非常に小さい値（Ｉｒlow）となる。
【０００７】
そして、点灯制御回路８はランプ電流値（Ｉｌ）をそれよりも低い目標ランプ電流値（Ｉｒlow）に一致させようと動作し、これにより点灯回路２は出力電流をより絞ることになる。もちろん、現実のランプ電圧が高い場合（例えば１００Ｖ程度以上の場合）は、ランプ電流としてＩｒlowを投入しても問題はないが、現実のランプ電圧が高くない場合にそのようなランプ電流を投入すると、高圧放電灯４は放電を維持できなくなり消灯することになることになる。この消灯動作自体はその後の異常拡大回避のために好ましい保護動作ではあるが、確実に点灯回路２を停止させない場合は、通常の点灯装置に含まれるような再起動機能により、点灯回路２及び始動回路３が再起動動作を開始してしまうことになり安全が確保されない。
【０００８】
（３）ランプ電流値（Ｉｌ）が現実のランプ電流に反して低くなった場合
高圧放電灯４が正常に点灯しているにもかかわらず、ランプ電流値（Ｉｌ）についてＩｌ＝０となった場合を想定する。例えば、ランプ電流測定回路５そのものが短絡している場合などが考えられる。
演算される目標ランプ電流値（Ｉｒ＝Ｗｒ／Ｖｌ）は通常の値となるが、点灯制御回路８がランプ電流値（Ｉｌ＝０）を目標ランプ電流値（Ｉｒ）に一致させようと動作することになり、点灯回路２は最大出力電流を出力することになる。もちろん、（１）と同様に、現実のランプ電圧が低い場合は、高圧放電灯４に最大出力電流を投入しても、そのランプ電力が定格範囲内に収まっている限りは重大な問題とはならないが、現実のランプ電圧が低くない場合にそのようなランプ電流を投入すると、ランプ電力値が定格以上となり、過負荷状態となる。
【０００９】
（４）ランプ電流値（Ｉｌ）が現実のランプ電流に反して高くなった場合
高圧放電灯４が正常に点灯しているにもかかわらず、ランプ電流値（Ｉｌ）が現実の点灯状態に反して高くなった場合（Ｉｌ＝Ｉｌhigh）を想定する。例えば、ランプ電流値（Ｉｌ）の信号配線が開放され、ハイインピーダンスとなった点灯制御回路８の入力端に高圧ラインからのノイズが入り込んだ場合などが考えられる。
演算される目標ランプ電流値（Ｉｒ＝Ｗｒ／Ｖｌ）は通常の値となるが、点灯制御回路８がランプ電流値（Ｉｌhigh）をそれよりも低い目標ランプ電流値（Ｉｒ）に一致させようと動作し、これにより点灯回路２は出力電流をより絞ることになる。上記（２）と同様に、現実のランプ電圧が高い場合は問題ないが、現実のランプ電圧が高くない場合にそのようなランプ電流を投入すると、高圧放電灯４は放電を維持できなくなり消灯することになることになる。この消灯動作自体はその後の異常拡大回避のために好ましい保護動作ではあるが、確実に点灯回路２を停止させない場合は、通常の点灯装置に含まれるような再起動機能により、点灯回路２及び始動回路３が再起動動作を開始してしまうことになり安全が確保されない。
【００１０】
（５）目標ランプ電流値（Ｉｒ）が異常により低くなった場合
点灯制御回路８に入力される目標ランプ電流値（Ｉｒ）又は（Ｉｒ´）が異常により低くなった場合は上記の（２）と同様の結果となる。例えば、図４において、目標ランプ電流値（Ｉｒ）の信号配線が開放され、ハイインピーダンス状態となった点灯制御回路８の入力端が０Ｖを拾った場合、あるいは図６の構成を用いる場合に、分圧抵抗Ｒ３が開放された場合、又は分圧抵抗Ｒ４が短絡された場合などが考えられる。
【００１１】
（６）目標ランプ電流値（Ｉｒ）が異常により高くなった場合
点灯制御回路８に入力される目標ランプ電流値（Ｉｒ）又は（Ｉｒ´）が異常により高くなった場合は上記の（１）と同様の結果となる。例えば、図４において、目標ランプ電流値（Ｉｒ）の信号配線が開放され、ハイインピーダンス状態となった点灯制御回路８の入力端が高圧ラインからのノイズを拾った場合、あるいは図６の構成を用いる場合に、分圧抵抗Ｒ３が短絡された場合、又は分圧抵抗Ｒ４が開放された場合などが考えられる。
【００１２】
（７）小信号系の基準電圧が正しく取れない場合
目標電流演算手段７には通常マイクロコンピュータが用いられ、電圧レギュレータによって基準電圧（例えば５Ｖ）が供給される。ここで、電圧レギュレータの出力電圧が温度ドリフトにより上昇すると、同じランプ電圧値（Ｖｌ）が入力されていても演算される目標ランプ電流値（Ｉｒ）が上昇してしまう。例えば、仮に供給される基準電圧が温度ドリフトにより２０％上昇してしまったとすると、同じランプ電圧値（Ｖｌ）に対しても演算される目標ランプ電流値（Ｉｒ）は（オフセット等を無視すると）本来の１.２倍となってしまう。そして、点灯制御回路８及び点灯回路２の動作により現実のランプ電流も本来の１.２倍となり、高圧放電灯４は過負荷状態となる。
【００１３】
（８）その他の場合
例えば、点灯制御回路８における目標ランプ電流値（Ｉｒ）に対するランプ電流値（Ｉｌ）のフィードバック機能が正しく動作しない場合、あるいは点灯回路２が正しく動作しなくなった場合などにおいて、最終的に点灯回路２から出力される電流又は電力が高圧放電灯４の定格範囲内にあれば重大な問題とはならないが、定格範囲を超えた場合には当然に高圧放電灯４は過負荷状態となり、定格範囲を大きく下回ると消灯する。
【００１４】
なお、上記においては、抵抗や配線の短絡又は開放といった故障の場合について述べたが、高圧放電灯点灯装置が極端に高温又は低温で使用された場合に、各部品の温度特性によっても同様の問題がもたらされる場合がある。
このように、従来の回路には故障の場合に上記のような問題を引き起こす可能性がある。上記の中でも、結果として高圧放電灯の過負荷状態をもたらすケースは特に重大な問題となる。
【００１５】
また、通常の高圧放電灯点灯装置の保護回路として、検出されたランプ電圧値に基づいて保護動作を行う構成が一般的に採用されている。例えば、ランプ電圧が所定値（例えば１２０Ｖ程度）を超えると高圧放電灯が寿命末期であると判断して保護動作がなされる。また、ランプ電圧が極端に低い場合（例えば数１０Ｖの場合）も、高圧放電灯の故障として保護動作がなされる。しかし、これらの保護回路構成によると、高圧放電灯の異常を検知してその異常に起因する高圧放電灯点灯装置の故障を防止することはできるが、装置内部の異常を検知してその異常が拡がるのを防止することはできない。
【課題を解決するための手段】
【００１６】
本発明の第１の側面は、高圧放電灯を点灯する点灯回路と、高圧放電灯に流れる電流を測定するランプ電流測定回路と、高圧放電灯の電圧を測定するランプ電圧測定回路と、ランプ電圧測定回路が測定したランプ電圧値（Ｖｌ）で所定の目標ランプ電力値（Ｗｒ）を割ることによって目標ランプ電流値（Ｉｒ）を演算する目標電流演算手段と、目標ランプ電流値（Ｉｒ）とランプ電流測定回路が測定したランプ電流値（Ｉｌ）とが一致するように点灯回路を制御する点灯制御回路からなる高圧放電灯点灯装置において、さらに、ランプ電流値（Ｉｌ）とランプ電圧値（Ｖｌ）の積（Ｗｌ）を演算し、積（Ｗｌ）があらかじめ設定された範囲を外れた場合に所定の保護動作を行う保護制御手段を備えた高圧放電灯点灯装置である。
【００１７】
ここで、目標電力演算手段と保護制御手段が同一のマイクロコンピュータ上で構成され、保護制御手段から発生する所定の保護動作のための信号がマイクロコンピュータから点灯制御回路に送出されるように構成してもよい。
【００１８】
本発明の第２の側面は、上記第１の側面の高圧放電灯点灯装置、高圧放電灯、高圧放電灯が取り付けられるレフレクタ、及び少なくとも高圧放電灯点灯装置を内包する筐体を備えた光源装置である。
【発明の効果】
【００１９】
本発明の高圧放電灯点灯装置によれば、高圧放電灯点灯装置内部での部品故障などにより、高圧放電灯が過負荷状態になっても、確実に検出して電力供給停止などの措置をとることができる。
【発明を実施するための最良の形態】
【００２０】
次に、実施の形態について説明する。
図１は本発明に係る第１の実施形態の高圧放電灯点灯装置を示すブロック図である。１は電源、２は点灯回路、３は始動回路、４は高圧放電灯、５はランプ電流測定回路、６はランプ電圧測定回路、７は目標電力演算手段、８は点灯制御回路、９は保護制御手段である。
【００２１】
電源１は直流電源または交流電源を整流した直流電源である。
点灯回路２は、高圧放電灯４に流れる電流を調整して電力の制御を行い、安定に点灯させる。その回路方式は、降圧チョッパ回路、ハーフブリッジ回路、フルブリッジ回路など各種回路を使用することが出来、また組み合わせてもよい。そして高圧放電灯の点灯は直流点灯および交流点灯のどちらでもよい。
始動回路３は、高電圧を印加して高圧放電灯４を始動させる。その電圧は高圧放電灯４の種類により、数百Ｖから数十ｋＶとなる。なお、始動回路３は始動動作後には非動作となる。
高圧放電灯４は、メタルハライドランプや高圧水銀灯など、各種の高圧放電灯が使用できる。
【００２２】
ランプ電流測定回路５は、高圧放電灯４に流れるランプ電流を測定し、その測定値（Ｉｌ）を目標電流演算手段７に送る。ランプ電圧測定回路６は、高圧放電灯４に印加されるランプ電圧を測定し、その測定値（Ｖｌ）を目標電流演算手段７に送る。
目標電力演算手段７は、あらかじめ格納されている目標ランプ電力値（Ｗｒ）とランプ電圧測定回路６から入力されたランプ電圧値（Ｖｌ）から、目標ランプ電流値（Ｉref）を演算する（Ｉref＝Ｗｌ／Ｖｌ）。なお、Ｉrefを図６のように分圧してＩref´としてもよく、以下の説明において、目標ランプ電流値（Ｉref）及び（Ｉref´）をまとめて「目標ランプ電流値（Ｉｒ）」という。そして、目標ランプ電流値（Ｉｒ）が点灯制御回路８に入力される。
点灯制御回路８は、ランプ電流値（Ｉｌ）と目標ランプ電流値（Ｉｒ）が一致するように点灯回路２を制御する。
【００２３】
保護制御手段９は、ランプ電流測定回路５のランプ電流値（Ｉｌ）とランプ電圧測定回路６の測定したランプ電圧値（Ｖｌ）の積であるランプ電力値（Ｗｌ）を、あらかじめ設定した範囲（Ｗｓ１〜Ｗｓ２）と比較し、ランプ電力値（Ｗｌ）が設定範囲（Ｗｓ１〜Ｗｓ２）を外れた場合には、点灯回路２を停止させる停止信号（ＳＤ）を目標電流演算手段７から点灯制御回路８に送り、異常の拡大を防ぐ。
【００２４】
そして、図示するように、目標電力演算手段７と保護制御手段９は同一のマイクロコンピュータＭＣ上で構成してもよい。このように集約して構成することにより、従来例（図３）に対して配線以外に何も回路構成を付加することなく、マイクロコンピュータのプログラム変更のみで保護制御手段を加えることができる。
【００２５】
ここで、本発明において、高圧放電灯４が正常に点灯する一方で点灯装置側に故障が発生した場合に、点灯装置がどのように保護動作を行うかを従来技術との比較において以下に説明する。
【００２６】
（１）ランプ電圧値（Ｖｌ）が現実のランプ電圧に反して低くなった場合
上述したように、ランプ電圧値（Ｖｌ）が現実のランプ電圧に反して、例えばＶｌ＝０となったような場合、仮に保護制御手段９が動作しないものとすると、点灯回路２は必要以上の電流を出力してしまうことになる。
ここで、保護制御手段９が動作すると、保護制御手段９で演算されるランプ電流値（Ｉｌ）とランプ電圧値（Ｖｌ）の積（Ｗｌ）について、Ｖｌ＝０であるからＷｌ＝０となり、保護制御手段９はＷｌ＜Ｗｓ１であると判断して停止信号（ＳＤ）を出力する。点灯制御回路８はこの信号（ＳＤ）を受けて点灯回路２の停止状態を確保する。
【００２７】
（２）ランプ電圧値（Ｖｌ）が現実のランプ電圧に反して高くなった場合
上述したように、ランプ電圧値（Ｖｌ）が現実のランプ電圧に反して高くなった場合に、仮に保護制御手段９が動作しないものとすると、点灯回路２は出力電流を必要以上に絞ることになってしまう。
ここで、保護制御手段９が動作すると、保護制御手段９で演算されるランプ電流値（Ｉｌ）とランプ電圧値（Ｖｌ）の積（Ｗｌ）について、Ｖｌが高いレベルであることからＷｌも高いレベルとなり、保護制御手段９はＷｓ２＜Ｗｌとなった時点で停止信号（ＳＤ）を出力する。点灯制御回路８はこの信号（ＳＤ）を受けて点灯回路２の停止状態を確保する。
【００２８】
（３）ランプ電流値（Ｉｌ）が現実のランプ電流に反して低くなった場合
上述したように、ランプ電流値（Ｉｌ）が現実のランプ電流に反して、例えばＩｌ＝０となったような場合に、仮に保護制御手段９が動作しないものとすると、点灯回路２は必要以上の電流を出力してしまうことになる。
ここで、保護制御手段９が動作すると、保護制御手段９で演算されるランプ電流値（Ｉｌ）とランプ電圧値（Ｖｌ）の積（Ｗｌ）について、Ｉｌ＝０であるからＷｌ＝０となり、保護制御手段９はＷｌ＜Ｗｓ１であると判断して停止信号（ＳＤ）を出力する。点灯制御回路８はこの信号（ＳＤ）を受けて点灯回路２の停止状態を確保する。
【００２９】
（４）ランプ電流値（Ｉｌ）が現実のランプ電流に反して高くなった場合
上述したように、ランプ電流値（Ｉｌ）が現実のランプ電圧に反して高くなった場合に、仮に保護制御手段９が動作しないものとすると、点灯回路２は出力電流を必要以上に絞ってしまうことになる。
ここで、保護制御手段９が動作すると、保護制御手段９で演算されるランプ電流値（Ｉｌ）とランプ電圧値（Ｖｌ）の積（Ｗｌ）について、電圧変換されたＩｌが高いレベルであることからＷｌも高いレベルとなり、保護制御手段９はＷｓ２＜Ｗｌとなった時点で停止信号（ＳＤ）を出力する。点灯制御回路８はこの信号（ＳＤ）を受けて点灯回路２の停止状態を確保する。
【００３０】
（５）目標ランプ電流値（Ｉｒ）が異常により低くなった場合
上述したように、点灯制御回路８に入力される目標ランプ電流値（Ｉｒ）が異常により低くなった場合、仮に保護制御手段９が動作しないものとすると、点灯回路２は出力電流を必要以上に絞ってしまうことになる。
ここで、保護制御手段９が動作すると、保護制御手段９で演算されるランプ電流値（Ｉｌ）とランプ電圧値（Ｖｌ）の積である現実のランプ電力値（Ｗｌ）が減少するので、Ｗｌ＜Ｗｓ１となった時点で保護制御手段９が停止信号（ＳＤ）を出力する。点灯制御回路８はこの信号（ＳＤ）を受けて点灯回路２の停止状態を確保する。
【００３１】
（６）目標ランプ電流値（Ｉｒ）が異常により高くなった場合
上述したように、点灯制御回路８に入力される目標ランプ電流値（Ｉｒ）が異常により高くなった場合、仮に保護制御手段９が動作しないものとすると、点灯回路２は必要以上の電流を出力してしまうことになる。
ここで、保護制御手段９が動作すると、保護制御手段９で演算されるランプ電流値（Ｉｌ）とランプ電圧値（Ｖｌ）の積である現実のランプ電力値（Ｗｌ）が増大するので、Ｗｓ２＜Ｗｌとなった時点で保護制御手段９が停止信号（ＳＤ）を出力する。点灯制御回路８はこの信号（ＳＤ）を受けて点灯回路２の停止状態を確保する。
【００３２】
（７）小信号系の基準電圧が正しく取れない場合
上述したように、マイクロコンピュータＭＣに基準電圧を供給する電圧レギュレータの出力電圧が温度ドリフトにより上昇すると、点灯回路２は必要以上の電流を出力してしまうことになる。
ここで、マイクロコンピュータＭＣへ供給される基準電圧が温度ドリフトにより２０％上昇した場合における保護制御手段９の動作を説明する。目標電流演算手段７は入力されたランプ電圧値（Ｖｌ）を、
Ｖｌlow＝100／120×Ｖｌ
と過小に認識し、目標ランプ電流値（Ｉｒ）を、
Ｉｒ＝Ｗｒ／Ｖｌlow＝120／100×Ｗｒ／Ｖｌ
と過大に出力してしまう。すると、点灯制御回路８の動作によりランプ電流（Ｉｌ）は、
Ｉｌ＝Ｉｒ＝120／100×Ｗｒ／Ｖｌ
となる。
【００３３】
一方、保護制御手段９で演算される積（Ｗｌ）について、保護制御手段９においても基準電圧が２０％上昇しているので、演算される値は、
Ｗｌ＝Ｉｌlow×Ｖｌlow
となる。ここでも、
Ｉｌlow＝100／120×Ｉｌ
であり、従って、
Ｗｌ＝（100／120×120／100×Ｗｒ／Ｖｌ）×（100／120×Ｖｌ）
＝100／120×Ｗｒ
≒０.８３Ｗｒ
となる。例えば、設定範囲（Ｗｓ１〜Ｗｓ２）について、Ｗｓ１＝０.９Ｗｒと設定していた場合、Ｗｌ＜Ｗｓ１となり、保護制御手段９が停止信号（ＳＤ）を出力する。点灯制御回路８はこの信号（ＳＤ）を受けて点灯回路２の停止状態を確保する。注記しておくと、現実のランプ電力はドリフト上昇分だけ（即ち、目標ランプ電流（Ｉｒ）の上昇分だけ）増大するが、演算されるランプ電力値（Ｗｌ）は設定範囲未満と判断されて保護動作が行われる。
【００３４】
なお、温度ドリフトにより基準電圧が下がった場合も上記と同様に考えることができ、保護制御手段９がＷｓ２＜Ｗｌと演算した時点で停止信号（ＳＤ）を出力する。この場合は、上記とは逆に、現実のランプ電力はドリフト降下分だけ（即ち、目標ランプ電流（Ｉｒ）の降下分だけ）減少するが、演算されるランプ電力値（Ｗｌ）は設定範囲超と判断されて保護動作が行われる。
【００３５】
（８）その他の場合
例えば、点灯制御回路８における目標ランプ電流（Ｉｒ）に対するランプ電流（Ｉｌ）のフィードバック機能が正しく動作しない場合、あるいは点灯回路２が正しく動作しない場合などは、点灯回路２の出力状態は決定されない。
ここで、保護制御手段９で演算されるランプ電流値（Ｉｌ）とランプ電圧値（Ｖｌ）の積である現実のランプ電力値（Ｗｌ）が増大又は減少し、Ｗｌ＜Ｗｓ１又はＷｓ２＜Ｗｌとなった時点で保護制御手段９が停止信号（ＳＤ）を出力する。点灯制御回路８はこの信号（ＳＤ）を受けて点灯回路２の停止状態を確保する。
【００３６】
以上のように、点灯装置側に異常が発生した場合でも、点灯回路２の動作を停止して、その後の異常の拡大を防止することができる。なお、上記の故障は例示であり、想定される故障モードは上記に限定されない。
また、Ｗｓ１及びＷｓ２の具体的な値は、定格ランプ電力に対してどれだけマージンを取って保護動作を設定するかに従って適宜設定すればよい。
【００３７】
ここで、保護動作として保護制御手段９が停止信号（ＳＤ）を出力するものを示したが、図２に示すように、停止信号を出力する替わりに、目標ランプ電流値（Ｉｒ）をその演算結果（Ｗｒ／Ｖｌ）にかかわらず所定値（Ｉｒfix）に固定するようにしてもよい。例えば、その所定値（Ｉｒfix）を調光レベルの値としてもよく、この場合は調光状態が確保され、消灯させずに過負荷による異常の拡大を防ぐことができる。但し、この方策は、上記（１）又は（２）の場合のみ有効である。
また図示していないが、高圧放電灯点灯装置が外部との通信機能を持っている場合には、保護制御手段９（又はマイクロコンピュータＭＣ）がエラー情報を出力しても良い。
【００３８】
また、上記のマイクロコンピュータＭＣに不揮発性メモリ付きのマイクロコンピュータを使用し、保護動作に移行した累積的な回数を不揮発性メモリによってカウントして、その回数が所定数以上になった場合に高圧放電灯点灯装置が使用不能となるようにしてもよい。例えば、点灯回路２の停止状態を維持する（又は再起動を禁止する）信号を、電源投入中は常に保護制御回路９（又はマイクロコンピュータＭＣ）から点灯回路２に出力するようにすればよい。
【００３９】
またさらに、上記の構成によると、高圧放電灯点灯装置に起因する故障のみならず、高圧放電灯４の故障も検出・保護できる。
即ち、点灯装置が正しく動作する結果として点灯回路２が最大の出力電流を高圧放電灯４に投入しているにもかかわらず、高圧放電灯４の異常によりランプ電圧が低く、Ｗｌ＜Ｗｓ１となるような場合や、逆に、点灯装置が正しく動作する結果として点灯回路２が最小の出力電流を高圧放電灯４に投入しているにもかかわらず、高圧放電灯４の異常によりランプ電圧が高く、Ｗｓ２＜Ｗｌとなるような場合にも保護動作を行うこともできる。なお、前者はライフ初期に電極が過度に成長して電極間距離が極度に短くなった場合、後者はライフ末期に電極が消耗して電極間距離が長くなった場合に起こり得る現象である。
従って、本発明の構成によると、高圧放電灯側及び点灯装置側双方の異常に適切に対処できる。
【００４０】
上記実施例では、高圧放電灯点灯装置内部での部品故障などにより、高圧放電灯が過負荷状態になっても、確実に検出して電力供給停止などの措置をとることができる高圧放電灯点灯装置を示したが、それを用いたアプリケーションとしての光源装置を図３に示す。図３において、１０は上記で説明した実施例の高圧放電灯点灯装置、１１は高圧放電灯４が取り付けられるレフレクタ、１２は高圧放電灯点灯装置１０、高圧放電灯４及びレフレクタ１１を内蔵する筐体である。なお、図は実施例を模擬的に図示したものであり、寸法、配置などは図面通りではない。また、図示されない映像系の部材等を筐体１２内に適宜配置すればプロジェクタが構成される。
【００４１】
これにより、高圧放電灯が過負荷状態になっても確実に検出して電力供給停止などの措置をとることができ、安全性及び信頼性の高いプロジェクタ等の光源装置を提供できる。
【図面の簡単な説明】
【００４２】
【図１】本発明に係る高圧放電灯点灯装置を示すブロック図である。
【図２】本発明に係る高圧放電灯点灯装置の変形例を示すブロック図である。
【図３】本発明の光源装置を示す図である。
【図４】従来の高圧放電灯点灯装置を示すブロック図である。
【図５】一般的な回路構成を説明する図である。
【図６】一般的な回路構成を説明する図である。
【符号の説明】
【００４３】
１：電源
２：点灯回路
３：始動回路
４：高圧放電灯
５：ランプ電流測定回路
６：ランプ電圧測定回路
７：目標電流演算手段
８：点灯制御回路
９：保護制御手段
１０：高圧放電灯点灯装置
１１：レフレクタ
１２：筐体
ＭＣ：マイクロコンピュータ
【図１】
2009123425.tif 000003
【図２】
2009123425.tif 000004
【図３】
2009123425.tif 000005
【図４】
2009123425.tif 000006
【図５】
2009123425.tif 000007
【図６】
2009123425.tif 000008